(57)【特許請求の範囲】
【請求項１】
キャスターを有する家具が位置する床面に、被係合部を設けるとともに、この被係合部と係脱可能に係合する係合部を有する係脱装置を家具の下部に設け、かつばねにより上方に付勢される係止軸に余裕をもって嵌合する円環状の重錘と、この重錘に円周方向に等間隔に固定された３個の取付部材のそれぞれに水平軸により枢着されたフックと、前記ばね付勢した係止軸に設けられ、前記フックによって脱離可能に係止されるフランジとにより構成され、地震等の揺れを感知して、前記係合部を前記被係合部との係合状態から解除する感震解除手段を設けたことを特徴とするキャスター付き家具の免震装置。
【請求項２】
被係合部が、床面固定の基板に形成された凹孔であり、係合部が、係脱装置に形成され前記凹孔に嵌合する係止軸である請求項１記載のキャスター付き家具の免震装置。
【請求項３】
凹孔に嵌合する軸を囲んで係脱装置に固設され、フックに、その枢着点の上方において係合して、これを揺動させることができるつばを有する円筒体を設けてなる請求項２記載のキャスター付き家具の免震装置。
【請求項４】
被係合部及び係脱装置を複数個設けた請求項１〜３のいずれかに記載のキャスター付き家具の免震装置。
【請求項５】
床面の被係合部付近と家具下部とを、前記被係合部の周りの複数箇所においてばねにより接続し、家具を床面の定位置に弾性的に付勢した請求項１〜４のいずれかに記載のキャスター付き家具の免震装置。
【発明の詳細な説明】
【０００１】
【発明の属する技術分野】
本発明は、キャスター付きの家具、例えば商品陳列棚の免震装置に関する。
【０００２】
【従来の技術】
一般に、キャスター付きの家具におけるキャスターには、通常時には動かないように、ストッパが付いている。
【０００３】
【発明が解決しようとする課題】
上述のような家具、例えば商品陳列棚は、ストッパにより固定保持されているので、地震等により床面が激しく揺れた時に、棚の上の物品が落下したり、激しい場合には、家具自体が転倒したりすることがある。
地震が起きた時に、ストッパを解除して、キャスターにより家具が自由に動くことができるようにすれば、地震のエネルギを吸収することができる。
しかし、通常４つあるキャスターのおのおのにストッパが設けられているので、地震時には、４つのストッパを同時に解除しなければならず、そのための機構も複雑とならざるをえない。
【０００４】
本発明は、上述した従来の問題点に鑑み、キャスターにストッパを設けることなく、平時には家具を床面に係止し、地震時には、この係止を自動的に解除するようにした免震装置を提供することを目的とする。
【０００５】
【課題を解決するための手段】
本発明によると、上記課題は、次のようにして解決される。
(１)  キャスターを有する家具が位置する床面に、被係合部を設けるとともに、この被係合部と係脱可能に係合する係合部を有する係脱装置を家具の下部に設け、かつばねにより上方に付勢される係止軸に余裕をもって嵌合する円環状の重錘と、この重錘に円周方向に等間隔に固定された３個の取付部材のそれぞれに水平軸により枢着されたフックと、前記ばね付勢した係止軸に設けられ、前記フックによって脱離可能に係止されるフランジとにより構成され、地震等の揺れを感知して、前記係合部を前記被係合部との係合状態から解除する感震解除手段を設ける。
【０００６】
(２)  上記(１)項において、被係合部が、床面固定の基板に形成された凹孔であり、係合部が、係脱装置に形成され前記凹孔に嵌合する係止軸である。
【０００７】
(３)  上記(２)項において、凹孔に嵌合する軸を囲んで係脱装置に固設され、フックに、その枢着点の上方において係合して、これを揺動させることができるつばを有する円筒体を設ける。
【０００８】
(４)  上記(１)〜(３)項のいずれかにおいて、被係合部及び係脱装置を複数個設ける。
【０００９】
(５)  上記(１)〜(４)項のいずれかにおいて、床面の被係合部付近と家具下部とを、前記被係合部の周りの複数箇所においてばねにより接続し、家具を床面の定位置に弾性的に付勢する。
【００１０】
【発明の実施の形態】
図１は、本発明の免震装置の一実施例を備える商品陳列棚(Ａ)の斜視図である。
商品陳列棚(Ａ)の下部の左右端部において前後方向に延びる脚(１)の前後端部には、キャスター(２)が設けられ、キャスター(２)が接する床面と、脚(１)の直上に設けた台部(３)との隙間に、本発明の免震装置が配設されている。
【００１１】
図２に示すように、免震装置は、床面に固定された基板(４)に取り付けられ、被係合部である凹孔(11)を設けた２つの基台(５)と、商品陳列棚(Ａ)の下部中央連結ビーム(６)に固着され、基台(５)の凹孔(11)に嵌合できる係止軸(12)を備える２つの係脱装置(７)とから構成されている。
【００１２】
基板(４)は、ボルト(８)により床面に固着されている。
基板(４)の四隅には、それぞれコイルばね(９)の一端が取り付けられており、コイルばね(９)の他端は、左右の脚(１)の前後端に取り付けた取付金具(10)に取り付けられている。
【００１３】
次に、係脱装置(７)内に組み込まれている感震解除手段について説明する。
筐体(13)の下部中央に、円筒体(14)が溶接等により立設されており、円筒体(14)の中には、筐体(13)の上下部を貫いて延びる係止軸(12)が収容されている。係止軸(12)の中間部に設けたフランジ(15)と、円筒体(14)の内方に張り出す筐体(13)の底板(13a)との間に、圧縮コイルばね(16)が配設されている。
【００１４】
筐体(13)の底板(13a)の僅か上方には、円環状の重錘(17)が、その中央の開口(17a)と円筒体(14)との間に相当の余裕(a)を設けて嵌合されている。重錘(17)の上面には、図３及び図４に示すように、半径方向を向く縦断面Ｌ字形の取付金具(18)が３個、互いに１２０度の角度を隔てて配設されている。
【００１５】
取付金具(18)には、上部の鈎部(19a)を内方へ向けた垂直方向のフック(19)が、水平軸(20)により枢着されている。
重錘(17)、フック(19)及びフランジ(15)が、感震解除手段の主要構成部材である。
フック(19)は、水平軸(20)を中心として回動できるが、図５に示すように、その側面から弱い板ばね(21)により取付部材(18)へ向って押し付けられており、この板ばね(21)の力に抗する力が作用した時だけ、回動することができるようになっている。
【００１６】
図４及び図５に示すように、取付部材(18)の求心側の縁における水平軸(20)の上方には、切り込み部(22)が形成され、これに対応する位置において円筒体(14)には、円形のつば(23)が固着されている。
後述するように、つば(23)は、地震等の揺れが重錘(17)に作用した時、切り込み部(22)内に入り込み、フック(19)を回動させることができる。
【００１７】
取付部材(18)の求心側の縁の上部には、フック(19)の位置決めストッパ(24)が形成されている。
【００１８】
図４から明らかなように、重錘(17)とその上に取り付けられた取付部材(18)及びフック(19)は一体となっているが、筐体(13)とは遊離しており、フック(19)の鈎部(19a)は、コイルばね(16)によって上方に付勢されている係止軸(12)のフランジ(15)の上面に引っかかって留められている。
【００１９】
符号(25)は、筐体(13)の内部において、重錘(17)の上方に配設された、重錘(17)のおどり止めである。
【００２０】
次に、作用について述べる。
通常は、図１に示す商品陳列棚の設置位置において、商品陳列棚の下部連結ビーム(６)に固着された係脱装置(７)の係止軸(12)は、床面に固定された基板(４)の基台(５)の凹孔(11)に挿入された状態で、図４に示すように、フック(19)がフランジ(15)に掛かり、係止軸(12)を係止している。
【００２１】
地震等の激しい揺れが、床面から入力されると、筐体(13)内にフック(19)の引っ掛かりにより浮動的に支持されている重錘(17)が移動する。
この重錘(17)の移動方向を、例えば中心から１つのフック(19)に向かう方向(図４の左方)とすると、重錘(17)の上に取り付けられた取付部材(18)に枢着されたこのフック(19)は、係止軸(12)、正確にはその周りに設けられた円筒体(16)から遠ざかって想像線位置まで移動し、その先端の鈎部(19a)は、係止軸(12)のフランジ(15)から外れる。
この時、反対側の２つのフック(19)は、係止軸(12)、従って円筒体(16)に近づき、つば(23)が取付部材(18)の切り込み部(22)内に入り込み、フック(19)をその枢着点(水平軸(20))の上方において押すことになり、フック(19)は、図４の右側に示すように外方に回動して、係止軸(12)のフランジ(15)から外れる。
このようになると、圧縮コイルばね(16)の力により、係止軸(12)は想像線位置まで跳ね上がり、基台(５)の凹孔(11)から脱し、商品陳列棚(Ａ)は床面から切り離される。
【００２２】
しかし、商品陳列棚(Ａ)の脚(１)の４つの端部は、コイルばね(９)を介して床面に固定された基板(４)の４隅と連結されているので、地震力等の揺れによる商品陳列棚(Ａ)の移動は、コイルばね(９)の弾性力により減衰され、移動の範囲が制限されるとともに、地震が収まるにつれて、元の位置に収束されることとなる。
【００２３】
なお、係脱装置(５)は、その係止軸(12)を中心とする回転を防止するために、少なくとも２個が配設されているが、係止軸(12)が角形または長方形断面であれば、１個でもよい。
また、係脱装置の構造または感震解除手段の機構は、上述のものに限らず、同様な効果を奏し得るものであれば、任意適当なものとすることができる。
【００２４】
【発明の効果】
請求項１記載の本発明によると、地震等により床面が激しく揺れた時、キャスター付き家具の床面に対する固定を解除して、これを移動できるようにするので、家具に載せた物品の落下、家具の転倒等を有効に防止することができる。
また、感震解除手段を、ばねにより上方に付勢される係止軸に余裕をもって嵌合する円環状の重錘と、この重錘に円周方向に等間隔に固定された３個の取付部材のそれぞれに水平軸により枢着されたフックと、前記ばね付勢の軸に設けられ前記フックによって脱離可能に係止されるフランジとにより構成してあるから、振動入力時に重錘が軸に対して水平方向に移動して、容易にフックをフランジから脱離させて係止軸を上方に移動させ、床面から釈放することができる。
【００２５】
請求項２記載の発明によると、被係合部が、床面固定の基板に形成された凹孔であり、係合部が、係脱装置に形成され前記凹孔に嵌合しうる係止軸であるから、係脱を上下方向に簡単容易に行うことができる。
【００２６】
請求項３記載の発明によると、凹孔に嵌合する係止軸を取り囲んで係脱装置に固着され、フックにその枢着点の上方において係合してこれを揺動させることができるつばを備える円筒体を設けてあるから、地震時に円筒体に近寄った方のフックを、容易に係止軸のフランジから外すことができる。
【００２７】
請求項４記載の発明によると、被係合部及び係脱装置を複数個設けてあるから、家具が軸を中心として回転するのを抑制することができる。
【００２８】
請求項５記載の発明によると、床面の被係合部付近と家具下部とを、前記被係合部の周りの複数箇所においてばねにより接続し、家具を床面の定位置に弾性的に付勢してあるから、地震力の入力により床面から切り離された家具に対する地震力を弾性的に相殺し、家具の移動の範囲を弾性的に制約して、免震効果を高めることができる。
【図面の簡単な説明】
【図１】  本発明の免震装置の一実施例を備える商品陳列棚の斜視図である。
【図２】  本発明の免震装置の主要部分と商品陳列棚の下部の一部分の分解斜視図である。
【図３】  本発明の免震装置の係脱装置の拡大横断面図である。
【図４】  図３のIV−IV線に沿う断面図である。
【図５】  フック、取付部材及び板ばねの拡大分解斜視図である。
【符号の説明】
(Ａ)商品陳列棚
(１)脚
(２)キャスター
(３)台部
(４)基板
(５)基台
(６)下部連結ビーム
(７)係脱装置
(８)ボルト
(９)コイルばね
(10)取付金具
(11)凹孔
(12)係止軸
(13)筐体
(13a)底板
(14)円筒体
(15)フランジ
(16)圧縮コイルばね
(17)重錘
(17a)開口
(18)取付部材
(19)フック
(19a)鈎部
(20)水平軸
(21)板ばね
(22)切り込み部
(23)つば
(24)位置決めストッパ
(25)おどり止め
【図１】
0003698189.tif 000002
【図２】
0003698189.tif 000003
【図３】
0003698189.tif 000004
【図４】
0003698189.tif 000005
【図５】
0003698189.tif 000006